【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
２チャネル・ステレオをマルチチャネル・サウンドにデコードする音響システムにおいて使用するためのプロセスであって、
第１の入力信号から第１のｄｃ信号を取得するステップと、
第２の入力信号から第２のｄｃ信号を取得するステップと、
前記第１および第２のｄｃ信号の差を求めるステップと、
前記差信号が正のとき予め選択した利得の可変乗算器を介して、前記差信号を第１の出力端子に通過させ、前記差信号が負のとき第２の出力端子に通過させるステップと、
前記第１および第２の入力信号を加算するステッブと、
前記加算した第１および第２の入力信号から第３のｄｃ信号を取得するステップと、
前記第１および第２の入力信号の差を求めるステップと、
前記差を求めた第１および第２の入力信号から第４のｄｃ信号を求めるステップと、
前記第３および第４ｄｃ信号の差を求め、スレシホルドｄｃ信号を生成するステップと、
前記スレシホルドｄｃ信号のレベルを検出し、前記第４のｄｃ信号が前記第３のｄｃ信号よりも大きいとき、前記スレシホルドｄｃ信号の増減にしたがって増減する制御信号を生成するステップと、
前記制御信号を前記可変乗算器に印加して、前記第１および第２のｄｃ信号の求めた差に印加する利得を変化させるステップと、
を含むプロセス。
【請求項２】
請求項１記載のプロセスにおいて、前記予め選択した利得が１であるプロセス。
【請求項３】
請求項２記載のプロセスにおいて、前記可変乗算器の前記利得は、１．０ないし１０の範囲で可変であるプロセス。
【請求項４】
請求項１記載のプロセスにおいて、前記予め選択した利得は、０．５０１であるプロセス。
【請求項５】
請求項２記載のプロセスにおいて、前記可変乗算器の前記利得は、０．５０１ないし５の範囲で可変であるプロセス。
【請求項６】
２チャネル・ステレオをマルチチャネル・サウンドにデコードする音響システムにおいて使用するためのプロセスであって、
第１の入力信号に高域通過フィルタ処理を施すステップと、
前記高域通過フィルタ処理した第１の入力信号から第１のｄｃ信号を取得するステップと、
第２の入力信号に高域通過フィルタ処理を施すステップと、
前記高域通過フィルタ処理した第２の入力信号から第２のｄｃ信号を取得するステップと、
前記第１および第２のｄｃ信号の差を求め、高帯域ｄｃ信号を生成するステップと、
前記高帯域ｄｃ信号が正のとき、前記高帯域ｄｃ信号を、予め選択した利得の高帯域信号可変乗算器を介して、第１の高帯域出力端子に通過させ、前記高帯域ｄｃ信号が負のとき、第２の高帯域出力端子に通過させるステップと、
前記第１の入力信号に低域通過フィルタ処理を施すステップと、
前記低域通過フィルタ処理した第１の入力信号から第３のｄｃ信号を取得するステップと、
前記第２の入力信号に低域通過フィルタ処理を施すステップと、
前記低域通過フィルタ処理した第２の入力信号から、第４のｄｃ信号を取得するステップと、
前記第３および第４のｄｃ信号の差を求め、低帯域ｄｃ信号を生成するステップと、
前記低帯域ｄｃ信号が正のとき前記予め選択した利得の低帯域信号可変乗算器を介して、前記低帯域ｄｃ信号を第１の低帯域出力端子に通過させ、前記低帯域ｄｃ信号が負のとき、第２の低帯域出力端子に通過させるステップと、
前記第１および第２の入力信号を加算するステップと、
前記加算した第１および第２の入力信号から第５のｄｃ信号を取得するステップと、
前記第１および第２の入力信号の差を求めるステップと、
前記第１および第２の入力信号の求めた差から第６のｄｃ信号を取得するステップと、
前記第５および第６のｄｃ信号の差を求め、スレシホルドｄｃ信号を生成するステップと、
前記スレシホルドｄｃ信号のレベルを検出し、前記第６のｄｃ信号が前記第５のｄｃ信号よりも大きいとき、前記スレシホルドｄｃ信号の増減にしたがって増減する制御信号を生成するステップと、
前記制御信号を前記高帯域および低帯域可変乗算器に印加して、前記高帯域および低帯域ｄｃ信号に印加する利得を変化させるステップと、
を含むプロセス。
【請求項７】
２チャネル・ステレオをマルチチャネル・サウンドにデコードする音響システムにおいて使用するためのプロセスであって、
第１の入力信号に高域通過フィルタ処理を施すステップと、
前記高域通過フィルタ処理した第１の入力信号から第１のｄｃ信号を取得するステップと、
第２の入力信号に高域通過フィルタ処理を施すステップと、
前記高域通過フィルタ処理した第２の入力信号から第２のｄｃ信号を取得するステップと、
前記第１および第２のｄｃ信号の差を求め、高帯域ｄｃ信号を生成するステップと、
前記高帯域ｄｃ信号が正のとき予め選択した利得の高帯域信号可変乗算器を介して、前記高帯域ｄｃ信号を第１の高帯域出力端子に通過させ、前記高帯域ｄｃ信号が負のとき、第２の高帯域出力端子に通過させるステップと、
前記第１の入力信号に低域通過フィルタ処理を施すステップと、
前記低域通過フィルタ処理した第１の入力信号から第３のｄｃ信号を取得するステップと、
前記第２の入力信号に低域通過フィルタ処理を施すステップと、
前記低域通過フィルタ処理した第２の入力信号から、第４のｄｃ信号を取得するステップと、
前記第３および第４のｄｃ信号の差を求め、低帯域ｄｃ信号を生成するステップと、
前記低帯域ｄｃ信号が正のとき前記予め選択した利得の低帯域信号可変乗算器を介して、前記低帯域ｄｃ信号を第１の低帯域出力端子に通過させ、前記低帯域ｄｃ信号が負のとき第２の低帯域出力端子に通過させるステップと、
前記第１の入力信号から第５のｄｃ信号を取得するステップと、
前記第２の入力信号から第６のｄｃ信号を取得するステップと、
前記第５および第６のｄｃ信号の差を求め、広帯域ｄｃ信号を生成するステップと、
前記広帯域ｄｃ信号を広帯域出力端子に通過させるステップと、
前記第１および第２の入力信号を加算するステップと、
前記加算した第１および第２の入力信号から第７のｄｃ信号を取得するステップと、
前記第１および第２の入力信号の差を求めるステップと、
前記第１および第２の入力信号の求めた差から第８のｄｃ信号を取得するステップと、
前記第７および第８のｄｃ信号の差を求め、スレシホルドｄｃ信号を生成するステップと、
前記スレシホルドｄｃ信号のレベルを検出し、前記第８のｄｃ信号が前記第７のｄｃ信号よりも大きいとき、前記スレシホルドｄｃ信号の増減にしたがって増減する制御信号を生成するステップと、
前記制御信号を前記高帯域および低帯域可変乗算器に印加して、前記高帯域および低帯域ｄｃ信号に印加する利得を変化させるステップと、
を含むプロセス。
【請求項８】
５つの離散信号を２チャネル・ステレオにエンコードする音響システムにおいて使用するためのプロセスであって、
３ｄＢ減衰させた第１の離散オーディオ信号と第２の離散信号とを加算して、第１の複合信号を生成するステップと、
前記第１の複合信号を、線形の位相対周波数応答を有する第１の全域通過ネットワークに供給するステップと、
前記３ｄＢ減衰させた第１の離散オーディオ信号と第３の離散信号とを加算して、第２の複合信号を生成するステップと、
前記第２の複合信号を、線形の位相対周波数応答を有する第２の全域通過ネットワークに供給するステップと、
第４の離散オーディオ信号を、線形の位相対周波数応答と９０°の位相シフトとを有する第３の全域通過ネットワークに供給するステップと、
第５の離散オーディオ信号を、線形の位相対周波数応答と９０°の位相シフトとを有する第４の全域通過ネットワークに供給するステップと、
前記第１のネットワークの出力と、前記３ｄＢ減衰させた第３のネットワークの出力と、前記３ｄＢないし６ｄＢ減衰させた第４のネットワークの出力とを加算し、第１のチャネル信号を生成するステップと、
前記第２のネットワークの出力と、前記３ｄＢ減衰させた第４のネットワークの出力と、前記３ｄＢないし６ｄＢ減衰させた第３のネットワークの出力とを加算し、第２のチャネル信号を生成するステップと、
を含むプロセス。
【請求項９】
５つの離散信号を２チャネル・ステレオにエンコードする音響システムにおいて使用するためのプロセスであって、
３ｄＢ減衰させた第１の離散オーディオ信号と第２の離散信号とを加算して、第１の複合信号を生成するステップと、
前記第１の複合信号を、線形の位相対周波数応答を有する第１の全域通過ネットワークに供給するステップと、
前記３ｄＢ減衰させた第１の離散オーディオ信号と第３の離散信号とを加算して、第２の複合信号を生成するステップと、
前記第２の複合信号を、線形の位相対周波数応答を有する第２の全域通過ネットワークに供給するステップと、
第４の離散オーディオ信号を、線形の位相対周波数応答と９０°の位相シフトとを有する第３の全域通過ネットワークに供給するステップと、
第５の離散オーディオ信号を、線形の位相対周波数応答と９０°の位相シフトとを有する第４の全域通過ネットワークに供給するステップと、
前記第４の離散オーディオ信号から第１のｄｃ信号を取得するステップと、
前記第５の離散オーディオ信号から第２のｄｃ信号を取得するステップと、
前記第１および第２のｄｃ信号の差を求め、制御信号を生成するステップと、
前記第３のネットワークの出力を第１の可変乗算器に供給するステップと、
前記第４のネットワークの出力を第２の可変乗算器に供給するステップと、
前記制御信号の反転に応答して、前記第１の可変乗算器の利得を変化させ、前記第３のネットワーク出力を、３ｄＢないし６ｄＢの範囲で減衰させるステップと、
前記制御信号に応答して、前記第２の可変乗算器の利得を変化させ、前記第４のネットワーク出力を３ｄＢないし６ｄＢの範囲で減衰させるステップと、
前記第１のネットワークの出力と、前記３ｄＢ減衰させた第３のネットワークの出力と、前記第１の可変乗算器の出力とを加算し、第１のチャネル信号を生成するステップと、
前記第２のネットワークの出力と、前記３ｄＢ減衰させた第４のネットワークの出力と、前記第２の可変乗算器の出力とを加算し、第２のチャネル信号を生成するステップと、
を含むプロセス。
【請求項１０】
５つの離散入力信号を２チャネル・ステレオにエンコードする音響システムにおいて使用するためのプロセスであって、
前記入力信号の第１の入力信号を可変乗算器の入力に印加するステップと、
前記第１の入力信号と第２の入力信号を結合して、第１の入力信号と第２の入力信号との比を示す制御信号を提供するステップと、
前記制御信号を前記可変乗算器に印加して、前記第１の入力信号に加えられる利得を変化させるステップと、
第３の入力信号と第４の入力信号を結合して、複合信号を生成するステップと、
前記可変乗算器の出力信号を前記第２の入力信号および前記複合信号と結合して、前記２チャネル・ステレオの出力信号を生成するステップと、
を含むプロセス。
【請求項１１】
５つの離散入力信号を２チャネル・ステレオにエンコードする音響システムにおいて使用するためのプロセスであって、
前記入力信号の第１の入力信号を第１可変乗算器の入力に印加するステップと、
前記入力信号の第２の入力信号を第２可変乗算器の入力に印加するステップと、
前記第１の入力信号と第２の入力信号を結合して、第１の入力信号と第２の入力信号との比を示す制御信号を提供するステップと、
前記制御信号を前記第１可変乗算器に印加して、前記第１の入力信号に加えられる利得を変化させるステップと、
第３の入力信号と第４の入力信号を結合して、第１の複合信号を生成するステップと、
前記第１可変乗算器の出力信号を前記第２の入力信号および前記第１の複合信号と結合して、前記２チャネル・ステレオの第１の出力信号を生成するステップと、
を含むプロセス。
【請求項１２】
５つの離散入力信号を２チャネル・ステレオにエンコードする音響システムにおいて使用するためのプロセスであって、
前記入力信号の第１の入力信号を第１可変乗算器の入力に印加するステップと、
前記入力信号の第２の入力信号を第２可変乗算器の入力に印加するステップと、
前記第１の入力信号と第２の入力信号を結合して、第１の入力信号と第２の入力信号との比を示す第１の制御信号を提供するステップと、
前記制御信号を前記第１可変乗算器に印加して、前記第１の入力信号に加えられる利得を変化させるステップと、
前記第１の制御信号を反転させ、第２の制御信号を提供するステップと、
前記第２の制御信号を前記第２可変乗算器に印加して、前記第２の入力信号に加えられる利得を変化させるステップと、
第３の入力信号と第４の入力信号を結合して、第１の複合信号を生成するステップと、
前記第１可変乗算器の出力信号を前記第２の入力信号および前記第１の複合信号と結合して、前記２チャネル・ステレオの第１の出力信号を生成するステップと、
前記第４の入力信号と第５の入力信号を結合して、第２の複合信号を生成するステップと、
前記第２可変乗算器の出力信号を前記第１の入力信号および前記第２の複合信号と結合して、前記２チャネル・ステレオの第２の出力信号を生成するステップと、
を含むプロセス。